(57)【要約】【課題】フックを軽量、コンパクトにする。【解決手段】鉤状フック部１に、その開口部ｗの開閉片２を回動自在に取付け、開口部ｗから入れた固定物Ｆが、開閉片２に設けた閉鎖片４に当たって開閉片２を内側に回動させるようにする。フック部１には、開口部ｗ閉じ状態の開閉片２先端に係止するよう付勢されたストッパ１２と、開放片１７、把持片１３を回動自在に設け、その開放片１７が前記ストッパ１２に係止してその回動によりストッパ１２と開閉片２との係止を開放できるようにする。また、把持片１３の先端を閉鎖片４に回動自在に係止して、ストッパ１２の前記係止開放状態でのみ把持片１３を回動できるようにする。開放片１７と把持片１３とを相互に近づけて回動することにより、前記開閉片２の係止が開放されて閉鎖片４を介して開閉片２が回動し開口部ｗを開口させるので片手で操作が可能であり、また、開閉片２が外側へ回動するのでフックをコンパクトにし得る。【選択図】図１
2006075345.tif 000002
【特許請求の範囲】
【請求項１】
安全帯の命綱の先端に取付けられる基部１０を有する鉤状のフック部１に、その開口部ｗの開閉片２を回動自在に取付け、その開閉片２を回動して前記開口部ｗを開口し、その開口を介して前記フック部１内に固定物Ｆを入れてそのフック部１の内側縁を前記固定物Ｆに当ててフック部１を固定物Ｆに係合する安全帯用フックにおいて、
上記開閉片２は、上記フック部１の先端に取付けられて上記開口部ｗの内側に付勢され、その付勢力に抗して外側に回動されることにより前記開口部ｗを開口するようになっており、その開閉片２には前記フック部１の内側縁に沿う閉鎖片４を設けて、その閉鎖片４に上記固定物Ｆを当てることにより、前記開閉片２が前記開口部ｗの内側に回動してその開口部ｗを閉じ、且つ、前記フック部１に、その開口部ｗの閉じ状態の開閉片２の先端に係止してその外側への回動を阻止するストッパ１２を設けたことを特徴とする安全帯用フック。
【請求項２】
上記フック部１の基部に把持片１３を回動可能に設けてその把持片１３の先端を上記閉鎖片４の先端に回動自在に係止し、その把持片１３をフック部１の内側に回動することにより、前記閉鎖片４を介して上記開閉片２が外側に回動してその開口部ｗを開口することを特徴とする請求項１に記載の安全帯用フック。
【請求項３】
上記ストッパ１２は、上記フック部１の基部に上記開閉片２の先端に向かって回動自在に設けられているとともに、その開閉片２先端に向かって付勢されてその付勢力により上記開口部ｗ閉じ状態の開閉片２の先端に係止してその外側への回動を阻止するようになっており、且つ、前記フック部１の基部側面には開放片１７をその側面に沿って回動自在に取付け、その開放片１７は前記ストッパ１２に係止して、回動することによりそのストッパ１２を回動して前記開閉片２との係止を開放するようになっており、
その開放片１７と上記把持片１３を相互に近づけて回動することにより、前記ストッパ１２と前記開閉片２との係止が開放されるとともに開閉片２が回動して前記開口部ｗが開口されることを特徴とする請求項２に記載の安全帯用フック。
【請求項４】
上記開閉片２の上記開口部ｗ内側に向かう付勢力は、上記ストッパ１２の前記開閉片２先端に向かう付勢力よりも大きくなるように設定したことを特徴とする請求項３に記載の安全帯用フック。
【請求項５】
前記把持片１３にストッパピン１５を設け、前記ストッパ１２が前記係止開放状態にあり、且つ前記開閉片２が前記開口部ｗを開口した状態において、そのストッパピン１５が、前記ストッパ１２の後端部１２ｈの基部１０側に形成した段部１２ｇに収納されて、前記ストッパ１２の前記開閉片２の先端側への回動を阻止し、前記開閉片２が前記開口部ｗの閉じ状態において、前記ストッパピン１５が前記段部１２ｇから外れてストッパ１２の前記回動阻止を解除することを特徴とする請求項３又は４に記載の安全帯用フック。
【請求項６】
前記開閉片２の先端６の外径を、その先端６から、前記開閉片２と前記フック部１との重なり部分に至る最大径としたことを特徴とする請求項１乃至５のいずれかに記載の安全帯用フック。
【発明の詳細な説明】
【技術分野】
【０００１】
この発明は、高所作業の際に身に付けて使用する墜落防止用の安全帯を、その作業場所の固定物等に係合させるフックに関するものである。
【背景技術】
【０００２】
建設現場等における高所作業時には、墜落防止用の安全帯（安全ベルト）が使用される。安全帯は、本発明の実施例の説明図である図６に示すように、その命綱となるロープ２１の一端が、作業者の身体に巻き付けられたバックル２２ａ付きの胴ベルト２２に、リング２３を介して接続される。また、その他端は、フック２０を介して梁等の構造物や、あるいは親綱と呼ばれる水平な支持ワイヤ等、所定の固定物に係合される。この係合により、万一の際には、安全帯が作業者を落ちないように支え、その墜落を防ぐようになっている。
【０００３】
従来のフックの態様としては、例えば、図７に示すように、Ｕ字型を成す鉤（かぎ）状のフック部３１と、そのＵ字型の開口部が開閉可能になるように、その開口部先端に支持される開閉片３２とからなるフック３０が一般的である。このフック３０を前記固定物Ｆに掛ける際には、安全装置３４を解除した上で、その係合対象となる固定物Ｆに開閉片３２を押し付ける。その開閉片３２が図中の矢印に示すように内側へ回動すると、フック部３１内に固定物Ｆが進入し、その固定物Ｆがフック部３１内に完全に収まれば、開閉片３２が元の状態に復帰して前記開口部を閉じる。開口部が閉じられると、開閉片３２はその位置からさらに外側へは動かないようになっているので、固定物Ｆが鉤状のフック部３１内から外へ飛び出すことを防止する（例えば、特許文献１参照）。
【特許文献１】特開平７−３１６８７号公報
【０００４】
なお、このフックには、作業者が落下した際に、大きな力と衝撃が作用するため、その部材には高い強度、剛性が求められる。このため、通常は、鋼を材質としたものが多く利用される。
【０００５】
また、一般的には、フック部３１内において、前記開閉片３２の回動範囲（図７にＡで示す範囲）を除くスペース、すなわち有効径（図７に示すＷ）、有効深さ（同図に示すＨ）の大きいものが好ましい。有効径Ｗ、有効深さＨが大きいと、より径の大きな固定物Ｆと係合できるので、安全帯使用の可否による作業場所の制約が少なくなるからである。さらに、有効深さＨが大きいと、フック部３１内において、固定物Ｆを収納するいわゆる「ふところ」が大きくなって、その係合した固定物Ｆが回動範囲Ａから比較的遠い場所（例えば、図７にＢで示す位置）に位置し得るようになる。このため、固定物Ｆが開閉片３２の回動を支障することが少なくなるからである。
【発明の開示】
【発明が解決しようとする課題】
【０００６】
しかし、前記有効径Ｗ、有効深さＨを大きくすると、フックが大型化するので安全帯が嵩張ってその携行、保管に不便である。また、フックが大型化するとその重量も大きくなるので扱いづらくなり、特に、作業場所の移動時や安全帯の係脱作業時には作業能率が落ちるので好ましくない。また、軽量化のため、例えば、その材質をアルミ合金にすれば強度が相対的に落ちてしまい、チタン合金にすると製品のコストが高くなってしまうので、単に材質の変更のみによりフックを軽量化することは好ましくない。
【０００７】
そこで、この発明は、フックを軽量、コンパクトにすることを課題とする。
【課題を解決するための手段】
【０００８】
上記の課題を解決するために、この発明は、フックの開閉片を外側に向かって回動可能とすることにより、その開口が開放されて固定物を挿入できるようにし、その開閉片の一部をフックの内側縁に沿って曲げて、そのフック部内に挿入された固定物がその屈曲部に当たって開閉片を閉鎖方向へ回動するようにしたのである。このようにすれば、開閉片は外側に回動するので、フック内側に開閉片の回動範囲を確保する必要がなくフックをコンパクトにし得るとともに、その開閉片は、フックが固定物と係合状態にある限り外側へは動かないようになるので安全である。また、フックがコンパクトになるので、軽量化も可能である。
【発明の効果】
【０００９】
この発明は、以上のようにしたので、フックを軽量、コンパクトにできる。
【発明を実施するための最良の形態】
【００１０】
上記手段の具体的実施形態としては、安全帯の命綱の先端に取付けられる基部を有する鉤状のフック部に、その開口部の開閉片を回動自在に取付け、その開閉片を回動して前記開口部を開口し、その開口を介して前記フック部内に固定物を入れてそのフック部の内側縁を前記固定物に当ててフック部を固定物に係合する安全帯用フックである。その開閉片は、前記フック部の先端に取付けられて前記開口部の内側に付勢され、その付勢力に抗して外側に回動されることにより前記開口部を開口するようになっている。また、その開閉片には前記フック部の内側縁に沿う閉鎖片が設けられて、その閉鎖片に前記固定物を当てることにより、前記開閉片が前記開口部の内側に回動してその開口部を閉じるようになっている。且つ、前記フック部には、その開口部の閉じ状態の開閉片の先端に係止してその外側への回動を阻止するストッパを設けたものである。
【００１１】
一般的に、フックの開閉片は、フック部の開口部から外側へ向かって回動させるようにすると、そのフック部内に係合した固定物が開閉片を外へ押すことにより、その係合が誤って外れてしまうことが懸念されるが、上記構成によれば、フック部内に固定物が係合されている限りにおいて、その係合された固定物が開閉片を閉鎖方向へと回動させるのでその係合が外れることがない。また、ストッパが設けられているので、開口部を開口させる方向への開閉片の動きを完全に止めることができるので安全である。
【００１２】
この構成において、前記フック部の基部に把持片を回動可能に設けてその把持片の先端を前記閉鎖片の先端に回動自在に係止し、その把持片をフック部の内側に回動することにより、前記閉鎖片を介して前記開閉片が外側に回動してその開口部を開口するようにする。このようにすれば、把持片を掴む等してその把持片をフック部の内側に回動させれば、開口部が開口するので、固定物に係合させる際の操作が楽になる。例えば、フック部を保持する手でその把持片を握れば、片手でも操作が可能となる。
【００１３】
また、前記把持片を設けた構成において、前記ストッパは、前記フック部の基部に前記開閉片の先端に向かって回動自在に設けられているとともに、その開閉片先端に向かって付勢されてその付勢力により上記開口部閉じ状態の開閉片の先端に係止してその外側への回動を阻止するようにする。且つ、そのフック部の基部側面には開放片をその側面に沿って回動自在に取付け、その開放片は前記ストッパに係止して、回動することによりそのストッパを回動して前記開閉片との係止を開放するようにする。その開放片と上記把持片を相互に近づけて回動することにより、前記ストッパと前記開閉片との係止が開放されるとともに開閉片が回動して前記開口部が開口されるようにした構成を採用し得る。このようにすれば、前記開放片による開閉片の係止解除と、前記把持片によるその係止解除された開閉片の外側への回動とが、その開放片と把持片とを相互に近づけて回動する一つの動作により行うことができるので、さらに操作が楽になる。
【００１４】
さらに、前記ストッパを付勢した構成において、前記開閉片の上記開口部内側に向かう付勢力を、そのストッパの前記開閉片先端に向かう付勢力よりも大きくなるように設定した構成を採用し得る。このようにすれば、前記開放片と把持片を相互に近づけて回動する際に、まず、相対的に付勢力の小さいストッパが係止解除状態へと回動した後に、その係止解除された開閉片を開放状態へと回動させることができるので、一連の操作が簡単となる。
【００１５】
また、前記開閉片を設けた構成において、前記把持片にストッパピンを設け、前記ストッパが前記係止開放状態にあり、且つ前記開閉片が前記開口部を開口した状態において、そのストッパピンが、前記ストッパの後端部の基部側に形成した段部に収納されて、前記ストッパの前記開閉片の先端側への回動を阻止するようにする。また、前記開閉片が前記開口部の閉じ状態において、前記ストッパピンが前記段部から外れてストッパの前記回動阻止を解除するようにする。このようにすれば、開閉片が確実に閉じ状態に至った後に、ストッパが回動してその開閉片を拘束するように設定し得るので、一連の操作が簡単である。
【００１６】
なお、前記開閉片の先端の外径を、その先端から、前記開閉片と前記フック部との重なり部分に至る最大径とすれば、例えば、前記固定物が、構造物に設けられた係合孔である場合に、その開閉片の先端を孔内に挿入できる状態であることを確認すれば、その孔内に、前記開閉片の屈曲部もしくはフック部の底部までを確実に挿入できると判断し得るようになる。このため、フックを係合すべき係合孔を間違えることがなく、作業性を向上できる効果がある。
【実施例】
【００１７】
この発明の一実施例を、図１乃至図６に基づいて説明する。この実施例の安全帯用フック２０は、図６に示すように、安全帯の命綱となるロープ２１の一端が、バックル２２ａ付きの胴ベルト２２に、リング２３を介して接続されており、そのロープ２１の他端に接続されるものである。その接続は、図５に示すように、前記フック２０の基部１０に設けられた取付孔１１に、前記ロープ２１の他端が所定の接続方法により繋げられる。
【００１８】
作業者は、前記胴ベルト２２を腰に巻き付けるとともに、フック２０を梁等の構造物や、あるいは親綱と呼ばれる水平な支持ワイヤ等、所定の固定物Ｆに係合し、安全帯を介して身体と固定物Ｆとを繋いだ状態で作業に取りかかる。また、作業場所を移動する際には、前記フック２０を固定物Ｆから取り外し、所定の作業場所に移動した後に、その場所にある固定物Ｆに再度そのフック２０を係合する。
【００１９】
フック２０の構成は、図１及び図２に示すように、前記基部１０から上方へ伸びて弧状に湾曲した鉤部５に至る鉤状のフック部１と、図３に示すように、その鉤部５の先端に設けた孔１ａに挿通されたピン９を介して、前記フック部１に回動自在に設けられた開閉片２とを有している。フック部１は、図示するように、ほぼ同形状の表裏二枚一組の部材１’，１’で構成されており、必要な補強板１０ａを付加して、その二枚の部材１’，１’が前記開閉片２を表裏両側から挟むように支持される。
【００２０】
この二枚の部材１’，１’の支持は、図３に示すように、両部材１’，１’にそれぞれ形成された孔１ｂ，１ｂを介してピン７が、また、孔１ｅ，１０ｃ，１ｅを介してピン１０ｂが、孔１ｄ，１ｄを介してピン１２ａが、孔１ｃ，１ｃを介してピン１３ａが、孔１ｆ，１ｆを介してピン１７ａが、及び孔１ａ，１ａを介して前述のピン９がそれぞれ挿通されることにより行われる。そして、その各ピンの端部はリベット加工等により脱落防止の処理が施される。
【００２１】
なお、この実施例では、前記フック部１と開閉片２、及び他の部材は、すべてアルミ製のもので構成されている。
【００２２】
前記開閉片２の構成は、図１に示すように、その先端側が、前記ピン９で支持された鉤部５の先端よりもさらに先へ伸びて、前記鉤状のフック部１の開口部ｗを開閉する閉止部３を構成する。また、その後端側は、鉤部５の内側縁５ａに沿って弧状に湾曲する閉鎖片４を構成しており、閉鎖片４はさらに後端側へと伸びて、前記閉止部３と平行に対向する連動部４ｂを形成して、全体としてＵ字型の開閉片２を成している。この閉鎖片４の湾曲部分の内側縁４ａは、図２に示すように、前記開閉片２が開口部ｗを閉じた状態において、フック部１の鉤部５の内側縁５ａと面一となっており、前記連動部４ｂの先端（前記基部１０に近い側）には、その表裏を貫通する長溝１４が、その連動部４ｂの長さ方向に沿って設けられている。
【００２３】
また、前記フック部１の基部１０には、図３に示すように、把持片１３が、前記ピン１３ａを介して回動可能に設けられる。把持片１３は、ほぼ同形状の表裏二枚一組の部材１３’，１３’で構成されており、その後端側は壁部１８で連結されている。この把持片１３が、前記フック部１を構成する前記二枚の部材１’，１’間に挿入されて、前記把持片１３の前記二枚の部材１３’，１３’に形成された孔１３ｆ，１３ｆに、前記フック部１の孔１ｃ，１ｃを通る前記ピン１３ａを挿通して、把持片１３をフック部１に対して回動可能に支持する。そのピン１３ａは同時に、その前記両孔１３ｆ，１３ｆ間の隙間に介在させたねじりコイルばね１３ｃのコイル状の部分に、筒状のスリーブ１３ｂを介して挿通されている。ねじりコイルばね１３ｃは、図３に示すように、そのばね材の両端が、前記コイル状を成す部分の外側へ向かってはね出されてアーム部１３ｇ，１３ｇを構成しており、その両アーム部１３ｇ，１３ｇが、図２に示すように、前記壁部１８の内側面と前記ピン１０ｂに係止されて、その把持片１３を後端側（図２に示す左側）へと付勢するようになっている。
【００２４】
また、その把持片１３には、その上部の先端の孔１３ｄ，１３ｄに挿通した摺動ピン１６が、前記閉鎖片４の連動部４ｂに形成した長溝１４に摺動可能に嵌められる。この摺動ピン１６により、把持片１３は、前記閉鎖片４に対しその摺動ピン１６周りに回動自在に係止される。
【００２５】
すなわち、この把持片１３は、前記ねじりコイルバネ１３ｃの作用により後端側（図２に示す左側）へ付勢されており、この把持片１３に力を加えない状態においては、把持片１３は、図２に示す位置にある。この状態において、摺動ピン１６は、前記長溝１４の下部１４ｂに位置して、開閉片２は、その摺動ピン１６と係止する閉鎖片４を介して、閉止部３が開口部ｗを閉じる方向に向かって付勢されるようになる。把持片１３を、前記付勢力に抗して押して、前記ピン１３ａ周りにフック部１の内側（図２に示す右側）へ向かって回動させることにより、把持片１３は、前記閉鎖片４を介して開閉片２全体を押し出して同方向（図２に示す右側）へと回動させ、図１に示す開放状態となる。このとき、前記摺動ピン１６は、長溝１４内を上部１４ａへと移動するので、前記把持片１３と開閉片２の双方が、スムースに回動する。
【００２６】
また、前記フック部１の基部１０には、図２に示すように、開口部ｗの閉じ状態にある開閉片２の閉止部３の先端６に係止して、その開閉片２の外側への回動を阻止するストッパ１２を設けている。このストッパ１２は、前記フック部１の基部１０に形成された前記孔１ｄ，１ｄに挿通された前記ピン１２ａが、そのストッパ１２の孔１２ｄに挿通されており、このピン１２ａを介してフック部１に回動自在となっている。また、そのピン１２ａは、図３に示すように、ねじりコイルばね１２ｃのコイル状の部分にも挿通されている。ねじりコイルばね１２ｃは、その二つのアーム部１２ｉ，１２ｉが、図２に示すように、前記ピン１０ｂと、後述するピン１７ｂに係止されているので、そのストッパ１２の前端に設けられたピン１２ｂが、前記開閉片２の先端６に向かって近づく方向へと、ストッパ１２を付勢するようなっている。
【００２７】
この付勢力により、ストッパ１２は回動して、前記ピン１２ｂが、図２に示すように、前記開口部ｗの閉じ状態にある開閉片２の先端６の外側面６ａに係止して、その開閉片２の外側への回動を阻止するようになっている。
【００２８】
また、前記フック部１の基部１０側面には、開放片１７を、その側面に沿って回動自在に設けている。この開放片１７は、図３に示すように，表裏二枚の部材１７’，１７’で構成されて、前記フック部１の基部１０に形成された前記孔１ｆ，１ｆに挿通された前記ピン１７ａが、その開放片１７を構成する前記二枚の部材１７’，１７’の孔１７ｆ，１７ｆに挿通されており、このピン１７ａを介してフック部１に回動自在となっている。その開放片１７に形成した孔１７ｅ，１７ｅに挿通されたピン１７ｂが，前記ストッパ１２の長孔１２ｅに挿通されている。
【００２９】
この開放片１７のフランジ１７ｇ，１７ｇを掴んで、その開放片１７を、前記把持片１３に近づく方向、すなわち後端側（図２に示す左側）へと回動することにより、前記ピン１７ｂが長孔１２ｅ内を移動しながら、そのストッパ１２を付勢力に抗して回動させて、前記ピン１２ｂによる前記開閉片２との係止を開放するようになっている。
【００３０】
また、ストッパ１２の後端部１２ｈには、図１及び図２に示すように、段部１２ｆ，１２ｇが連続して２段に亘って設けられている。前記ストッパ１２が開閉片２に係止状態にある際には、その段部１２ｆが、図２に示すように、前記把持片１３に設けたストッパピン１５を拘束して、把持片１３がフック部１の内側、すなわち前端側（図２に示す右側）へと回動しないようにしている。また、前記開放片１７の回動により、ストッパ１２の係止が解除されると、ストッパ１２の後端部１２ｈが、図１に示すように、図中の上方へと移動するので、ストッパピン１５は、段部１２ｆによる拘束が解除されて、把持片１３は、前記ストッパピン１５が次なる段部１２ｇに当接する位置まで回動可能となる。
【００３１】
このフック２０の使用方法を説明すると、まず、図２に示すように、開閉片２が開口部ｗを閉じた状態にあって、前記開放片１７を図中左側へと回動させる操作を行い、併せて前記把持片１３を図中右側へと回動させる操作を行い、その開放片１７及び把持片１３を、それぞれ相互に近づけるように回動させる。この操作は片手でも可能である。すなわち、開放片１７が回動することにより、ストッパ１２が回動してその前端のピン１２ｂが図中下方へと下降し、前記開閉片２の閉止部３の外側面６ａとの係止が開放されるとともに、後端の段部１２ｆが図中上方へと上昇して、把持片１３が回動可能な状態となる。その状態で、把持片１３を回動させることにより、前記開閉片２の閉鎖片４を介して、開閉片２が押し出されて、閉止部３が前記ピン９周りに外側へ向かって回動する。
【００３２】
開閉片２の閉止部３が、外側に向かって回動することにより、図１に示すように、前記開口部ｗを開口し、その開口を介して前記フック部１内に固定物Ｆを入れることができるようになる。
【００３３】
このとき、ストッパ１２を付勢する前記ねじりコイルばね１２ｃと、把持片１３を付勢する前記ねじりコイルばね１３ｃの両者の付勢力を比較すると、ストッパ１２の付勢力が把持片１３の付勢力よりもやや小さくなるように設定されている。このため、開放片１７及び把持片１３を、それぞれ相互に近づける方向へ同時に回動させようとすると、把持片１３よりも先に開放片１７が回動を開始（あるいは、把持片１３よりも開放片１７が速い速度で回動）して、まず、前記ストッパ１２を前記係止解除状態へと回動させる。そして、その開放片１７、及びストッパ１２の動きにやや遅れて、把持片１３が回動する頃には、ストッパ１２の後端部１２ｈは既に上昇しているので、その後端部１２ｈの前記段部１２ｆによる把持片１３の拘束は、自然に解除されるようになっている。すなわち、前記開放片１７及び把持片１３に、同時に力を加えても両片１７，１３の回動動作には上記時間差が発生するので、スムースな開放動作が可能である。
【００３４】
また、この操作において、前記フック部１の基部１０には、図３に示すくびれ部８を設けているので、把持片１３の前記壁部１８を横方向へ押えることにより、その把持片１３を、図１に示すように前端側（図中に示す右側）へと回動させやすいようになっている。
【００３５】
つぎに、その開口部ｗからフック部１内に固定物Ｆを入れると、その開閉片２の閉鎖片４に前記固定物Ｆが当たるので、前記把持片１３及び開放片１７を掴む手を離せば、その開閉片２は、固定物Ｆに押されて前記開口部ｗを閉じる方向である内側に向かって回動して、その開口部ｗを閉じる。開閉片２が回動して、図２に示す閉じ状態になれば、固定物Ｆは、そのフック部１の鉤部５内側縁５ａと面一の閉鎖片４の内側縁４ａとに当たって、フック部１が固定物Ｆに係合される。また、同時に、開閉片２は、その閉鎖片４と固定物Ｆとが当接している限り、開口部ｗを閉じた状態で動かないようになる。
【００３６】
このとき、フック部１と開閉片２とが、相互に重なる部分、すなわち、フック部１の鉤部５と開閉片２の閉鎖片４とが相互に表裏方向へ重なる部分を有しており、その重なり部分の両端において、それぞれ前記ピン９及び把持片１３の摺動ピン１６でもって両者が係止されているので、固定物Ｆに対してフック２０がねじれる方向に力が作用した場合に、そのねじれに対してフック２０が耐えうる強度が強くなるという効果がある。
【００３７】
固定物Ｆの係合により、前記開閉片２の回動とあいまって、把持片１３はその付勢力により後端側へと復帰し、その復帰後に、ストッパ１２は、開放片１７とともにその付勢力により回動して、前記ピン１２ｂが閉止部３の先端６を係止する状態へと復帰する。これは、前記把持片１３が後端側へと完全に復帰する以前は、ストッパピン１５が、図１に示すように、ストッパ１２の後端部１２ｈの段部１２ｇに収納されており、すなわち、把持片１３が前端側へ回動した図示する状態においては、ストッパ１２は、このストッパピン１５に拘束されて、開閉片２の先端６に向かって回動することを阻止された状態にあるからである。把持片１３が後端側へ完全に復帰すれば、前記ストッパピン１５は、図２に示すように、段部１２ｇから段部１２ｆへと移行し、ストッパ１２は、前記付勢力により自然に回動して、開閉片２の閉止部３の先端６を係止することとなる。このように、開閉片２が確実に閉じ状態に至った後に、ストッパ１２が回動してその開閉片２を拘束するので、一連の操作が簡単である。また、把持片１３が完全に後端側へ復帰し、ストッパ１２の回動により前記開閉片２を係止した後は、前記把持片１３は、前記ストッパピン１５がストッパ１２の段部１２ｆに収納されて、前端側へは回動できない状態となるので、把持片１３を横方向へ押しても、もはや開閉片２は開放しないようになるのでさらに安全である。
【００３８】
また、前記開放片１７には、図２に示すピン１７ｃが設けられており、前記ストッパ１２が開閉片２を係止した状態において、その開閉片２の閉止部３の内側凹部６ｂに収納される。開放片１７は、前記ねじりコイルばね１２ｃの作用により、そのピン１７ｃが前記収納方向へと向かう方向へ付勢されているからである。このため、その閉止部３の先端６は、前記ピン１７ｃとピン１２ｂによって両側から締め付けられるように保持されるので、閉止部３はより強固にロックされる。なお、このロックは、フック部１内に係合された固定物Ｆが、そのフック部１内を移動して、開口部ｗを閉じる閉止部３に近づくと、その固定物Ｆが前記開放片１７のフランジ１７ｇに対し、図５に矢印で示す上方から下方へ向かって当接するので、開放片１７は図中右側に向かって回動しようとする。開放片１７が回動しようとすると、前記ピン１７ｃは、さらに強く前記収納方向へと押圧され、また、ストッパ１２は、前記ピン１２ｂが前記閉止部３の先端６に係止する方向へと回動するので、開閉片２が誤って開放されることを防いでいる。
【００３９】
また、上記のように、ストッパ１２の前端に設けた前記ピン１２ｂが、前記閉止部３の先端６を係止し、ストッパ１２の後端部１２ｈは、その段部１２ｆが、前記ストッパピン１５を介して把持片１３を係止し、鉤状のフック部１の周りに、開閉片２とストッパ１２、及び把持片１３とが環状を成して相互に係止される。このため、例えば、図７に示す従来のフック装置３０では、固定物Ｆに係合した時に、その鉤状のフック部３１のみに荷重が作用するため、そのフック部３１の部材を大断面にせざるを得なかったが、本発明のフック２０によれば、荷重は、フック部１のみに作用するのではなく、フック部１と、その周囲の前記開閉片２、ストッパ１２、把持片１３とからなる環状を成す部材の全体に作用させることができる。このため、鉤状のフック部１のみに著大な力が作用する事態を回避し、設計時には、荷重を環状の部材で受けることを前提として、このフック部１及び開閉片２等の各部材を小断面にし得る。また、強度、剛性等の条件が許容される限りにおいて、アルミ等の軽量な素材も採用しやすいようになる。
【００４０】
また、前記閉止部３の先端６の外径（図１に示す外径Ｄ１、表裏方向の部材厚さも同様）を、その先端６から、前記フック部１と開閉片２との重なり部分の頂部に至るまでの最大径としているので、肉厚の大きい部分、例えば、図２に示す寸法Ｄ２と前記先端６の寸法Ｄ１との関係において、Ｄ２＜Ｄ１となっている。このため、例えば、前記固定物Ｆが、構造物に設けられた係合孔等である場合に、その開閉片２の先端６をその孔内に挿入できれば、その後、開閉片２及びフック部１は、その孔の縁に当たって支障することなく、フック部１内に固定物Ｆを挿入できる位置まで確実に係合できる。
【００４１】
なお、この固定物Ｆの係合を外す際の操作は、上記固定物Ｆを係合させる際の一連の操作と同様であるので、説明を省略する。
【００４２】
この発明において、前記フック部１や開閉片２の形状は、上記実施例に限定されるものではなく、その鉤状を成すフック部１の湾曲、屈曲の形態は自由であり、また、開閉片２の閉鎖片４の湾曲、屈曲の形態も自由である。ただし、そのフック部１の前記鉤部５の内側縁５ａと、前記開閉片２の閉鎖片４の内側縁４ａとは、その開閉片２が開口部ｗを閉じた状態において面一であることが望ましい。各部材を構成する素材も、アルミに限定されることなく自由である。
【００４３】
また、前記把持片１３と開閉片２の閉鎖片４との接続は、この実施例で示す長溝１４と摺動ピン１６を介して行う以外の手法も採用し得る。その接続は、前記把持片１３の回動により、その閉鎖片４を介して開閉片２を外側へ向かって回動させ得るものであればよい。また、ストッパ１２の構成も、この実施例に限定させるものではなく、開閉片２の回動を阻止し得る周知のストッパ構造を採用してもよいことはいうまでもない。
【図面の簡単な説明】
【００４４】
【図１】一実施例のフックの開放状態を示す切断正面図
【図２】図１のフックの閉じ状態を示す切断正面図
【図３】同実施例の分解斜視図
【図４】（ａ）は図２の右側面図、（ｂ）は図２の平面図
【図５】同実施例の使用状態を示す概略図
【図６】同実施例の使用状態を示す概略図
【図７】従来例の正面図
【符号の説明】
【００４５】
１  フック部
２  開閉片
３  閉止部
４  閉鎖片
４ａ，５ａ  内側縁
５  鉤部
６  先端
７ａ，１０ｂ，１５，１７ｂ，１７ｃ  係止ピン
８  くびれ部
９，１２ａ，１３ａ，１７ａ  ピン
１０  基部
１１  取付孔
１２  ストッパ
１３  把持片
１４  長溝
１６  摺動ピン
１７  開放片
２０  安全帯用フック
Ｆ  固定物
ｗ  開口部
【図１】
2006075345.tif 000003
【図２】
2006075345.tif 000004
【図３】
2006075345.tif 000005
【図４】
2006075345.tif 000006
【図５】
2006075345.tif 000007
【図６】
2006075345.tif 000008
【図７】
2006075345.tif 000009